(57)【要約】【課題】足場用筋交の連結具にくさび部材を打ち込んで足場側の連結枠に固定する場合において、横方向からの応力が加わっても緩むことのない足場用筋交を提供すること。【解決手段】両端に配設された連結具を同足場側の連結枠に係合することで同足場に対して斜めに連結するようにした足場用筋交において、連結具はくさび部材を打ち込むための貫通孔と、前記連結枠を上下方向から挟持する挟持部とを備える。くさび部材は同貫通孔に打ち込まれるくさび部本体と、同くさび部本体から分岐して同連結枠に挿入される分岐部とを備える。そして、くさび部材を貫通孔に打ち込むことによって同連結具を同連結枠に対して固定するようにした。【選択図】        図２
2004257112.tif 000002
【特許請求の範囲】
【請求項１】
枠体を組み合わせて構築した足場を補強するために使用される足場用筋交であって、同足場用筋交の両端に配設された連結具を同足場側の連結枠に係合することで同足場に対して斜めに連結し、くさび部材を同連結具に対して打ち込むことで同連結具の一部と同連結枠の一部とを押圧し、もって同連結具を同連結枠に対して固定するようにした足場用筋交において、
同連結具は少なくとも前記くさび部材を打ち込むための貫通孔と、前記連結枠を上下方向から挟持する挟持部とを備えるとともに、同くさび部材は同貫通孔に打ち込まれるくさび部本体と、同くさび部本体から分岐して同連結枠に挿入される分岐部とを備え、同くさび部材を打ち込むことによって同くさび部本体と同分岐部との間で同連結枠の一部と同連結具の一部とを押圧し、もって同連結具を同連結枠に対して固定するようにした足場用筋交。
【請求項２】
前記挟持部の延出量は前記連結枠の幅の少なくとも半分以下に収まることを特徴とする請求項１に記載の足場用筋交。
【請求項３】
前記分岐部の先端側内側面はテーパ状に形成されていることを特徴とする請求項１又は２に記載された足場用筋交。
【発明の詳細な説明】
【０００１】
【発明の属する技術分野】本発明は枠体を組み合わせて構築された足場を補強するための足場用筋交に関するものである。
【０００２】
【従来の技術】従来から建設現場等ではパイプ材を枠状に組み上げて作業用の足場が組まれる。このような足場用足場には筋交が配設されている。このような筋交の一種として例えば特許文献１に記載するような足場用筋交がある。特許文献１に開示された足場用筋交についてその装着原理を簡単に説明する。
図９に示すように、従来においては筋交５１の両端に固着された連結具５２を支柱５３側に形成された連結枠５４に対して固定させることで同筋交５１を装着するようにしている。より詳しくこの従来の連結機構を説明する。図７〜９に示すように、連結具５２は連結ピン５５を有しており、この連結ピン５５を連結枠５４に挿入する。そして、連結ピン５５にて連結具５２を連結枠５４に対して仮止めした状態で、くさび片５６を図上垂直方向から押し込み、更にハンマー等で打ち込んでいく。
これによって連結具５２の一部である連結ピン５５と連結枠５４の側面部とが強く押圧されて連結具５２が連結枠５４に固定されることとなる。
【０００３】
【特許文献１】
特許第３０５１６９９号公報（図１〜図５）
【０００４】
【発明が解決しようとする課題】ところで、実際の足場は種々の方向からの応力に曝されている。一般に垂直方向からの応力（荷重）に対しては支柱５３によって支持されるため比較的変形は少ないが、横方向からの応力に対しては変形の可能性が大きい。そのために筋交５１が配設されるわけである。図７に示すように図上右肩上がりに斜めに筋交５１が配設されている場合において同図上左方向からの応力が加わると筋交５１には引っ張り力（白矢印で示す）が作用する。同様に図上右方向からの応力が加わると筋交５１には圧縮力（黒矢印で示す）が作用する。筋交５１はこれらの応力に対する足場の変形の防止を目的とするものである。
ここに特に圧縮力に対して図９に示すように連結具５２と連結枠５４との関係では連結枠５４に挿入した連結ピン５５に上方への引き抜き力が働くこととなってしまう。特にくさび片５６の打ち込みが少ないにもかかわらず大きな圧縮力が作用した場合には連結ピン５５が緩んでしまう可能性があり、その場合には筋交としての機能を十分果たし得ないという問題があった。
本発明は、このような従来の技術に存在する問題点に着目してなされたものである。その目的とするところは、足場用筋交の連結具にくさび部材を打ち込んで足場側の連結枠に固定する場合において、横方向からの応力が加わっても緩むことのない足場用筋交を提供することにある。
【０００５】
【課題を解決するための手段】上記の目的を達成するために請求項１に記載の発明では、枠体を組み合わせて構築した足場を補強するために使用される足場用筋交であって、同足場用筋交の両端に配設された連結具を同足場側の連結枠に係合することで同足場に対して斜めに連結し、くさび部材を同連結具に対して打ち込むことで同連結具の一部と同連結枠の一部とを押圧し、もって同連結具を同連結枠に対して固定するようにした足場用筋交において、同連結具は少なくとも前記くさび部材を打ち込むための貫通孔と、前記連結枠を上下方向から挟持する挟持部とを備えるとともに、同くさび部材は同貫通孔に打ち込まれるくさび部本体と、同くさび部本体から分岐して同連結枠に挿入される分岐部とを備え、同くさび部材を打ち込むことによって同くさび部本体と同分岐部との間で同連結枠の一部と同連結具の一部とを押圧し、もって同連結具を同連結枠に対して固定するようにしたことをその要旨とする。
また、請求項２の発明では請求項１に記載の発明の構成に加え、前記挟持部の延出量は前記連結枠の幅の少なくとも半分以下に収まるようにしたことをその要旨とする。また、請求項３の発明では請求項１又は２に記載の発明の構成に加え、前記分岐部の先端側内側面がテーパ状に形成されるようにしたことをその要旨とする。
【０００６】
このような構成では、まず連結枠に対して連結具の挟持部によって上下方向から挟持させて足場用筋交を仮留めする。そして、くさび部材の分岐部を連結枠に面して配置させた状態でくさび部本体を貫通孔にハンマー等で打ち込む。くさび部本体の進出に伴ってくさび部本体と分岐部との間で連結枠の一部と連結具の一部が押圧されていくため連結具が同連結枠に対して固定されることとなる。
このような足場用筋交では足場に横方向からの応力が加わった場合でも挟持部によって連結具の連結枠に対する上下方向の移動が規制されるため連結具が連結枠から外れてしまうことがなく、足場用筋交の足場の変形防止作用が維持されることとなる。
この際に挟持部の延出量は前記連結枠の幅の少なくとも半分以下に収まるようにすることが好ましい。これによって同一連結枠に２つの連結具を連結させることができるからである。また、分岐部の先端側内側面がテーパ状に形成されることが好ましい。くさび部材を打ち込む際に分岐部と連結枠との部材接触が生じにくくスムーズに分岐部が進出できるからである。
【０００７】
【発明の効果】上記各請求項の発明では足場に横方向からの応力が加わった場合でも挟持部によって連結具の連結枠に対する上下方向の移動が規制されるため連結具が連結枠から外れてしまうことがなく、足場用筋交の足場の変形防止作用が維持されることとなる。
【０００８】
【発明の実施の形態】以下、本発明の足場用筋交を具体化した実施の形態を図面に基づいて説明する。
図３に示すように、足場用筋交を構成する連結具１１の連結具本体１２は異形の２枚の同形状の平板１３より構成されている。一対の平板１３は所定の間隔を有して平行に配置されている。図１から図６に示すように、平板１３の上部には前方に延出された挟持部の一部をなす第１の突出部１５が形成されている。第１の突出部１５の基部位置から下方に向かって下垂部１６が延出形成されている。第１の突出部１５及び下垂部１６の後方位置には大きく湾曲した湾曲部１７が形成されている。湾曲部１７の先端位置であって下垂部１６と対向する位置にはくさび当接プレート１８が固着されている。第１の突出部１５の下方位置には下垂部１６に沿って連結枠当接プレート１９が固着されている。連結枠当接プレート１９は全体として略Ｌ字状に形成された板体であって、上部の連結枠当接部２０と下部の屈曲形成された挟持部の一部をなす第２の突出部２１とにより構成されている。尚、両平板１３に対してくさび当接プレート１８及び連結枠当接プレート１９はガス溶接にて接合されているが、図上溶接により生じるビ一ドは省略されている。
【０００９】
両平板１３内にはくさび片２５が遊嵌されている。くさび片２５はくさび片本体２６と同くさび片本体２６の基部から分岐された分岐部２７を備えている。くさび片本体２６は先細りに形成された板体であって、基部側（上部側）には膨出した頭部２８が形成されている。くさび片本体２６先端の角部は面取りされている。頭部２８はハンマー等でくさび片２５を打ち込む際の打点となるとともに、この頭部２８が両平板１３と干渉することによってくさび片２５の連結具本体１１からの下方への脱落が防止されている。くさび片本体２６の先端寄り側方には突起２９設されている。そのため、くさび片２５は上方に持ち上げられた際にこの突起２９が両平板１３と干渉するため、くさび片２５を連結具本体１１から抜き取ることができなくなっている。
くさび片本体２６はハンマー等で打ち込まれることで前後のくさび当接プレート１８及び連結枠当接プレート１９と強く面接触して両プレート１８，１９間に挟持されることとなる。本実施の形態では両平板１３及びくさび当接プレート１８と連結枠当接プレート１９によって包囲される空間内が貫通孔とされる。
【００１０】
分岐部２７はくさび片本体２６と一体成形された板体である。分岐部２７はくさび片本体２６前方側基部寄りから湾曲して下方に向かって延出されている。分岐部２７先端の角部は面取りされるとともに先端寄り内側、つまり連結枠当接プレート１９側の先端寄りは斜めに切り欠かれたテーパ部３０とされている。
このように構成された連結具１１は図１に示すように筋交用パイプ３１の両端に固着されている。筋交用パイプ３１の両端にはパイプ材の両端をつぶした板状部３１ａが形成されており、上方側の連結具１１は湾曲部１７の下部寄りにおいて、上方側の連結具１１は湾曲部１７の上部寄りにおいてそれぞれ板状部３１ａを挟持した状態で溶接されている。尚、連結具１１と筋交用パイプ３１とはガス溶接にて接合されているが図上溶接のビードは省略されている。
【００１１】
このように構成された足場用筋交は足場の一部をなす支柱３２の連結枠３３に連結される。図２、図４〜図６に示すように、連結枠３３はパイプ材より構成された支柱３２の外周に形成されている。連結枠３３は前方に延出された一対の側板３３ａと両側板３３ａ間に懸架された前板３３ｂとより構成されている。連結枠３３の高さ（背）Ｈ１は上記第１の突出部１５の下面と第２の突出部２１の上面との間隔Ｈ２とほぼ等しくされている（わずかにＨ２の方が大きい）。一対の連結枠３３は１８０度対向する位置に配置されており、この一対の連結枠３３に対して上下方向にずれ、かつ９０度変位した位置に他の一対の連結枠３３が配置されている。すなわち支柱３２には四方に向いた連結枠３３が形成された連結ポイント３４が所定間隔で配置されている。また、第１の突出部１５と第２の突出部２１の延出量Ｌ１は連結枠３３の幅Ｌ２の半分より若干短く設定されている。
【００１２】
次に、このような連結具１１を備えた足場用筋交を足場に装着する際の取り付け手順について図４〜図６に基づいて説明する。尚、連結具１１は筋交用パイプ３１の上下位置に固着されているが説明の便宜上上側の連結具１１だけについて説明し、下側の連結具１１の取り付け手順については省略する。
図４に示すように、まず作業者は連結具１１の第１及び第２の突出部１５，２１を側方から連結枠３３に接近させ、これら両突出部１５，２１によって連結枠３３が上下から挟持されるように係合させる。つまり、同図に示すように、第１の突出部１５の下面を連結枠３３の側板３３ａ上縁に載置させるとともに、連結枠当接部２０を連結枠３３の側板３３ａに当接させるように仮係合させる。この状態で第２の突出部２１の上面と側板３３ａ下縁との間にはわずかな（図上この隙間は無視している）隙間が形成される。
このような仮係合の状態においては、図４に示すようにくさび片２５はやや倒伏した状態で片持ちに保持させることができる。そのため仮留め作業においてくさび片２５を把持している必要はない。くさび片２５は上部側にその重量が偏っており、くさび片本体２６の側面を板状部３１ａの先端Ｐ点に当接させて寝かせた場合にはＰ点よりも上方（図４における左方）側の方が重くなっている。そのためＰ点を中心としてくさび片２５には図上反時計回り方向（後方に倒伏する方向）の回転モーメントが発生する。しかし、くさび片本体２６下部の突起２９が第２の突出部２１の基部付近に係合されて回転が阻止されるためくさび片２５はこのような片持ち状態で保持されることとなるわけである。
【００１３】
次いで、作業者はくさび片２５を把持して図５に示すようにくさび片本体２６を両平板１３間に差し込む。この作業に伴って分岐部２７は連結枠３３の上部位置に配置されることとなる。この状態ではくさび片本体２６はその自重によってくさび当接プレート１８及び連結枠当接プレート１９によって前後から挟持されることとなる。但し、この段階では軽く支持されているに過ぎない。
次いで、このくさび片本体２６が両平板１３間に差し込まれた状態において作業者はくさび片本体２６の頭部２８をハンマー等で打ち込む。すると、くさび片本体２６は両プレート１８，１９間に食い込んでいく。同時に分岐部２７も下降していく。
図２に示すように、くさび片本体２６と分岐部２７との間には連結枠当接プレート１９の連結枠当接部２０と連結枠３３の側板３３ａが配置されている。ハンマー等で打ち込む前には分岐部２７に形成されたテーパ部３０が側板３３ａに軽く接しておりこの段階では連結具１１は固定されていない。くさび片本体２６及び分岐部２７の下降に伴ってくさび片本体２６の内側面及び分岐部２７の内側面によって連結枠当接部２０及び側板３３ａは前後から強い押圧力で挟持されていくこととなる。所定のくさび片本体２６の打ち込みを行うことで連結具１１の固定作業が完了する（図６の状態）。
【００１４】
このようにしてくさび片２５を打ち込んだ状態において、足場に横方向からの応力が加わった場合には足場用筋交はこの応力に対する反力として作用する。そして、特に連結具１１に対する引き抜き力が生じたとしても第２の突出部２１の上面が側板３３ａ下縁に係合することとなって連結具１１の引き抜きが阻止されることとなる。
次に今とは逆に、足場から足場用筋交を取り外す場合には、まずハンマー等で図６の状態におけるくさび片本体２６を下端部側から上方に向かって叩き、くさび片本体２６の両プレート１８，１９間の食い込みを緩める。そして、図４のように再びくさび片２５はやや倒伏した状態で片持ちに保持させ、連結具１１を側方に移動させて第１及び第２の突出部１５，２１と連結枠３３との係合状態を解除する。
【００１５】
このように構成することにより本実施の形態は次のような効果を奏する。
（１）このような足場用筋交を備えた足場に対して横方向からの応力が加わった場合に連結具１１に対する引き抜き力が生じたとしても第２の突出部２１の上面が側板３３ａ下縁に係合することとなるため連結具１１の引き抜きが阻止されることとなる。その結果、くさび片２５が緩むこともなく、しっかりと連結具１１が装着されることとなる。
（２）くさび片２５を打ち込む際に第２の突出部１５を側板３３ａの上に載置して仮留めすることができるので足場用筋交を作業者が支えている必要がなく足場用筋交の装着作業が軽減化される。
（３）くさび片２５を支えておかなくとも図４に示すように片持ちに保持できるため、連結具１１を連結枠３３に係合させる際にくさび片２５が作業の邪魔になってしまうことがない。
（４）第１の突出部１５と第２の突出部２１の延出量Ｌ１は連結枠３３の幅Ｌ２の半分より若干に短く設定されている。従って、図６のように１つの連結枠３３に対して２つの連結具１１を固定させることが可能となっている。
（５）分岐部２７の先端内側面はテーパ部３０とされており、くさび片２５を打ち込む前ではこのテーパ部３０が側板３３ａに当接し、くさび片２５の打ち込みに従って側板３３ａとの当接位置がテーパ部３０から分岐部２７の内側面に移行して強く押圧するようになっている。このようにテーパ部３０がくさび片２５の打ち込む際の移行部となっているため、スムーズにくさび片２５を打ち込むことが可能となっている。
【００１６】
尚、この発明は、次のように変更して具体化することも可能である。
・連結具１１は一対の平板１３を対向配置させたものでなくともよい。もちろん、形態として板体である必要はない。
・当接プレート１８はなくともよい。また、あったとしても、板状である必要はない。
・連結枠当接プレート１９の形状は上記実施の形態に限定されることはない。また、連結枠当接部２０と第２の突出部２１は別体であってもよい。
・くさび部材としては上記実施の形態のくさび片２５の形状にこだわる必要はない。また、分岐部２７の形状や突出位置は上記実施の形態に限定されることはない。
・上記のように第１の突出部１５と第２の突出部２１の延出量Ｌ１は連結枠３３の幅Ｌ２の半分より若干に短く設定することが好ましいが、要は第１の突出部１５と第２の突出部２１は連結枠３３を上下から挟持できればよいためその長さは常識範囲であれば特に限定はない。
・上記実施の形態においては間隔Ｈ２と高さ（背）Ｈ１とはほぼ等しく（わずかにＨ２の方が大きい）されていたが、間隔Ｈ２を高さ（背）Ｈ１よりも比較的大きく取ってもよい。このようにすると連結枠３３への第１の突出部１５及び第２の突出部２１による係合（挟持）をより速やかに行うことができる。
・その他、材質は不問である、部材の接合は溶接以外の手段でもよい等本発明の趣旨を逸脱しない態様で実施することは自由である。
【００１７】
【図面の簡単な説明】
【図１】本発明の実施の形態の足場用筋交の正面図。
【図２】同じ足場用筋交における連結部の連結枠へ連結された状態を説明する説明図。
【図３】同じ足場用筋交の連結枠の斜視図。
【図４】同じ足場用筋交の装着方法を説明する説明図。
【図５】同じ足場用筋交の装着方法を説明する説明図。
【図６】同じ足場用筋交の装着方法を説明する説明図。
【図７】従来の足場用筋交に作用する応力について説明する説明図。
【図８】従来の足場用筋交における連結部の連結枠へ連結された状態を説明する説明図。
【図９】従来の足場用筋交において連結枠から連結部が緩んで外れた状態を説明する説明図。
【符号の説明】
１１…連結具、１３…貫通孔を構成する平板、１５…挟持部としての第１の突出部、１８…貫通孔を構成するくさび当接プレート、１９…貫通孔を構成する連結枠当接プレート、２１…挟持部としての第２の突出部、２５…くさび部材、２６…くさび部本体、２７…分岐部、３３…連結枠。
【図１】
2004257112.tif 000003
【図２】
2004257112.tif 000004
【図３】
2004257112.tif 000005
【図４】
2004257112.tif 000006
【図５】
2004257112.tif 000007
【図６】
2004257112.tif 000008
【図７】
2004257112.tif 000009
【図８】
2004257112.tif 000010
【図９】
2004257112.tif 000011